(57)【特許請求の範囲】
【請求項１】
ウエスト方向に延びるように設けられ所定位置で分離されたベルト部の一方に設けられた開口部と、
前記分離されたベルト部の他方に設けられた突出部と、
前記突出部を前記開口部に挿入した状態で前記突出部と前記ベルト部の一方とを弾性的に接続する弾性部材と、
前記ベルト部の一方に縫付けられた第１の布地と、
前記ベルト部の他方に縫付けられるとともに前記分離されたベルト部の前記ウエスト方向への伸縮を妨げないように前記第１の布地に前記開口部近傍において縫付けられた第２の布地と、
前記開口部近傍の前記第１の布地と前記第２の布地との境界にポケット口長さが略６ｃｍから１１ｃｍの範囲内の大きさの小ポケットと、
前記小ポケットの袋布に設けられた前記分離されたベルト部の前記ウエスト方向への伸び分に相当する幅のタックと
を具備することを特徴とするウエストサイズ調節機構付衣服。
【請求項２】
前記開口部の外側面の開口端縁をウエスト方向と直交するベルト通しによって被覆したことを特徴とする請求項１に記載のウエストサイズ調節機構付衣服。
【請求項３】
前記第１の布地を、前記境界から前記分離されたベルト部が伸びたときに前記小ポケットのポケット口が移動する範囲まで延長したことを特徴とする請求項１または請求項２に記載のウエストサイズ調節機構付衣服。
【請求項４】
前記第１の布地の上方の端を前記小ポケットのポケット口内に隠れるように傾斜させるとともに前記第１の布地の上方の端に前記分離されたベルト部が伸びたときに前記小ポケットのポケット口が移動する範囲までの前記第１の布地と同じ材質の補助布を縫付けたことを特徴とする請求項１または請求項２に記載のウエストサイズ調節機構付衣服。
【請求項５】
ポケット口長さが普通の大きさのポケットまたはそれ以上の大きさのポケットを前記第２の布地に設けたことを特徴とする請求項１乃至請求項４に記載のウエストサイズ調節機構付衣服。
【請求項６】
前記ポケット口長さが普通の大きさのポケットまたはそれ以上の大きさのポケット内にさらに外ポケットをそのポケット口が前記ポケット口長さが普通の大きさのポケットまたはそれ以上の大きさのポケットの外に出るように付加したことを特徴とする請求項５に記載のウエストサイズ調節機構付衣服。
【発明の詳細な説明】
【０００１】
【発明の属する技術分野】
本発明は、着用する人の衣服のウエストベルトのサイズを自動調節できる伸縮機構付きのウエストサイズ調節機構付ズボン、ウエストサイズ調節機構付スカート等のウエストサイズ調節機構付衣服に関するものであり、特に、ウエストサイズ調節機構付衣服に設けられるポケットに関するものである。
【０００２】
【従来の技術】
着用する人の衣服のウエストベルトのサイズを自動調節できる伸縮機構付きのウエストサイズ調節機構付衣服については、本発明者が特願平１０−３６６４９７号において出願した発明等にかかる技術がある。これらの技術は、ズボン等のポケットまたはタック部分でベルト部を分離し、分離した一方のベルト部に開口部を設け、他方のベルト部に突出部を設けて、突出部が開口部に挿入された状態で突出部を一方のベルト部の奥に弾性部材によって接続する。これによって、ズボン等のベルト部が着用者のウエストサイズに合わせて伸縮する。その結果、ベルト部のウエストサイズを自動的に増減調節することができ、かつ、その見栄えも良好とすることができる。
【０００３】
【発明が解決しようとする課題】
しかし、かかるウエストサイズ調節機構付衣服においては、ポケットまたはタック部分でベルト部を分離して伸縮機構を設けているため、デザイン上ポケットの形状には自ずから制限があり、バリエーションを持たせることができなかった。また、このベルト部の分離部分にポケットを設けると、見栄えが余り良くなく、デザイン上別のポケットの設け方が求められていた。
【０００４】
そこで、本発明は、通常の大きさのポケットの見栄えを良くし、そのデザイン自由度を高くするとともに、ポケットの使い勝手を良くしてデザインにバリエーションを持たせることができるウエストサイズ調節機構付衣服の提供を課題とするものである。
【０００５】
【課題を解決するための手段】
請求項１の発明にかかるウエストサイズ調節機構付衣服は、ウエスト方向に延びるように設けられ所定位置で分離されたベルト部の一方に設けられた開口部と、前記分離されたベルト部の他方に設けられた突出部と、前記突出部を前記開口部に挿入した状態で前記突出部と前記ベルト部の一方とを弾性的に接続する弾性部材と、前記ベルト部の一方に縫付けられた第１の布地と、前記ベルト部の他方に縫付けられるとともに前記分離されたベルト部の前記ウエスト方向への伸縮を妨げないように前記第１の布地に前記開口部近傍において縫付けられた第２の布地と、前記開口部近傍の前記第１の布地と前記第２の布地との境界にポケット口が設けられ、そのポケット口長さが略６ｃｍから１１ｃｍの範囲内の大きさの小ポケットと、前記小ポケットの袋布に設けられた前記分離されたベルト部の前記ウエスト方向への伸び分に相当する幅のタックとを具備するものである。
【０００６】
したがって、ベルト部の一方の開口部にベルト部の他方の突出部が挿入された状態で突出部とベルト部の一方とが弾性部材で接続されていることから、ズボン等のベルト部が着用者のウエストサイズに合わせて伸縮する結果、ベルト部のウエストサイズを自動的に増減調節することができる。そして、第１の布地と第２の布地とが縫付けられた境界の前記開口部近傍において、ポケット口長さが略６ｃｍから１１ｃｍの範囲の大きさの小ポケットのポケット口が設けられている。このように、第１の布地と第２の布地との境界に小ポケットのポケット口が設けられていることから、第１の布地と第２の布地との縫付け線（脇線）と小ポケットのポケット口が一直線になり、非常に見栄えが良くなる。
【０００７】
ここで、小ポケットは、第１の布地と第２の布地との境界に設けられているので、分離されたベルト部の伸縮機構が伸ばされたときには、小ポケットの上側の生地は第２の布地と一体化しているため、分離されたベルト部の他方に設けられた突出部と一体に移動する。しかし、小ポケットの袋布は第１の布地と第２の布地にまたがって設けられているため、分離されたベルト部の伸縮機構が伸ばされたときには、この袋布に引っ張り力がかかり伸縮機構の伸びを妨げることになる。そこで、小ポケットの袋布に分離されたベルト部のウエスト方向への伸び分に相当する幅のタック（折り返し）を設けることによって、分離されたベルト部の伸縮機構が伸ばされたときには、このタックが伸ばされることによって小ポケットの袋布には引っ張り力がかからず、分離されたベルト部をスムースに伸ばすことができる。
【０００８】
そして、かかる小ポケットは、普通の大きさのポケットと区別できるため、小銭入れ、鍵入れ、切符入れ等に用いることができ、これらの小物を他の物と一緒に普通の大きさのポケットに入れたときには捜すのに時間がかかるが、小ポケットに入れておけばすばやく取り出すことができて使い勝手が良い。そして、デザイン上もこれまでになかったポケットの付け方としてバリエーションが広がる。なお、小ポケットのポケット口長さを略６ｃｍから１１ｃｍの範囲の大きさとしているが、一般的な手の大きさから紳士物は略９ｃｍから１１ｃｍの範囲、婦人物は略６ｃｍから８ｃｍの範囲の大きさとするのが好ましい。
【０００９】
このように、通常の大きさのポケットより小さいポケットを伸縮機構近傍に設けることによって、ポケットの見栄えを良くするとともにポケットの使い勝手を良くしてデザインにバリエーションを持たせることができる。
【００１０】
請求項２の発明にかかるウエストサイズ調節機構付衣服は、請求項１の構成において、前記開口部の外側面の開口端縁をウエスト方向と直交するベルト通しによって被覆したものである。したがって、小ポケットの上部にある開口部の開口端縁がベルト通しによって被覆され、外部から完全に見えなくなるので、より一層小ポケット周辺の見栄えが良くなる。
【００１１】
請求項３の発明にかかるウエストサイズ調節機構付衣服は、請求項１または請求項２の構成において、前記第１の布地を、前記境界から前記分離されたベルト部が伸びたときに前記小ポケットのポケット口が移動する範囲まで延長したものである。着用者のウエストサイズが大きくて分離されたベルト部の伸縮機構が伸ばされたときには、小ポケットの上側の生地は第２の布地と一体化しているため、小ポケットのポケット口は分離されたベルト部の他方に設けられた突出部と一体に移動して、その移動分だけ小ポケットの下地が見えることになる。しかし、本発明の構成によれば、分離されたベルト部が伸びたときに小ポケットのポケット口が移動する範囲まで第１の布地が延長されているため、小ポケットの下地は第１の布地によって構成されており、したがって、縫付け線等がないためポケットの下地の部分まで一体のものとして認識される。これによって、分離されたベルト部が伸びたときにも非常に見栄えの良いポケットとなる。
【００１２】
請求項４の発明にかかるウエストサイズ調節機構付衣服は、請求項１または請求項２の構成において、前記第１の布地の上方の端を前記小ポケットのポケット口内に隠れるように傾斜させるとともに前記第１の布地の上方の端に前記分離されたベルト部が伸びたときに前記小ポケットのポケット口が移動する範囲までの前記第１の布地と同じ材質の補助布を縫付けたものである。したがって、小ポケットの下地には第１の布地と同じ材質の補助布が設けられることになり、補助布は第１の布地の上方の端に縫付けられている。ここで、第１の布地の上方の端は小ポケットのポケット口内に隠れるように傾斜している。これによって、補助布と第１の布地の縫付け線が、通常の状態においては表から見えず、見栄えを良くしている。
【００１３】
そして、着用者のウエストサイズが大きくて分離されたベルト部の伸縮機構が伸ばされたときには、小ポケットの上側の生地は第２の布地と一体化しているため、小ポケットのポケット口は分離されたベルト部の他方に設けられた突出部と一体に移動して、その移動分だけ小ポケットの下地が見えることになる。したがって、それまで隠れていたポケット口の下の縫付け線が表から見えるようになる。しかし、第１の布地と同じ材質の補助布によって小ポケットのポケット袋布が隠されているので、それほど見栄えは悪くならない。これによって、分離されたベルト部が伸びたときにも見栄えを損なうことのないポケットとなる。
【００１４】
請求項５の発明にかかるウエストサイズ調節機構付衣服は、請求項１乃至請求項４のいずれか１つの構成において、ポケット口長さが普通の大きさのポケットまたはそれ以上の大きさのポケットを前記第２の布地に設けたものである。これによって、ウエストサイズ調節機構付衣服は普通の大きさのポケットまたはそれ以上の大きさのポケットとポケット口長さが略６ｃｍから１１ｃｍの大きさの小ポケットとを同じサイドに有することになり、デザイン的にも新しく、さらにバリエーションが広がることになる。
【００１５】
そして、ポケット口長さが普通の大きさのポケットまたはそれ以上の大きさのポケットには財布やハンカチ、ティッシュペーパーといった大きな物を入れ、小ポケットには小銭、鍵、切符といった小物を入れればポケットの中身の分別ができて非常に使い勝手が良くなる。さらに、ポケット口長さが普通の大きさのポケットまたはそれ以上の大きさのポケットは第２の布地に設けられているので小ポケットのポケット口が隠れることがなく、小ポケットからの出し入れが容易でデザイン的にも斬新さを保つことになる。
【００１６】
なお、ポケット口長さが普通の大きさのポケットとは、一般的には、ポケット口長さが略１５ｃｍから１６ｃｍの大きさのポケットである。
【００１７】
請求項６の発明にかかるウエストサイズ調節機構付衣服は、請求項５の構成において、前記ポケット口長さが普通の大きさのポケットまたはそれ以上の大きさのポケット内にさらに外ポケットをそのポケット口が前記ポケット口長さが普通の大きさのポケットまたはそれ以上の大きさのポケットの外に出るように付加したものである。普通の大きさのポケットまたはそれ以上の大きさのポケットのポケット口が横方向に長くて広い場合には、ポケット内にさらに外ポケットをそのポケット口が普通の大きさのポケットまたはそれ以上の大きさのポケットのポケット口の外に出るように設けることができる。これによって、ウエストサイズ調節機構付衣服は大・中・小の３種類のポケットを同じサイドに有することになり、しかもこれら３種類のポケットのポケット口は全て外に出ているので使い勝手が良く、デザイン的にも新しく、さらにバリエーションが広がることになる。
【００１８】
【発明の実施の形態】
以下、本発明のウエストサイズ調節機構付衣服を紳士物ズボンに適用した場合の実施の形態について説明する。
【００１９】
実施の形態１
まず、本発明の実施の形態１について、図１乃至図５を参照して説明する。
【００２０】
図１は、本発明の実施の形態１にかかるウエストサイズ調節機構付衣服としてのズボン１のウエストサイズ調節機構の各部材を分解して裏側から見て示す斜視図である。図２は、本発明の実施の形態１にかかるウエストサイズ調節機構付衣服としてのズボン１のウエストサイズ調節機構の各部材の取付け態様を裏側から見て示す分解斜視図である。図３は、本発明の実施の形態１にかかるウエストサイズ調節機構付衣服としてのズボン１のポケット周辺部分を裏側から見て示す斜視図である。図４（ａ）は本発明の実施の形態１にかかるウエストサイズ調節機構付衣服としてのズボン１のポケット周辺部分を表側から示す正面図、（ｂ）はズボン１のウエストサイズ伸縮機構が伸ばされた状態を示す正面図である。図５（ａ）は本発明の実施の形態１にかかるウエストサイズ調節機構付衣服としてのズボン１のポケット周辺部分を裏側から示す背面図、（ｂ）はズボン１のウエストサイズ伸縮機構が伸ばされた状態を示す背面図である。
【００２１】
図１及び図２に示されるように、ズボン１のウエスト部分には、ウエスト方向の全長に沿って延びるベルト部２が設けられている。ベルト部２は、ウエスト方向の所定位置即ち小ポケット１５のポケット口１５ａの上端で分離される。ベルト部２は、分離されたベルト部の一方としての後ベルト３と、ベルト部の他方としての前ベルト４から構成される。
【００２２】
後ベルト３は、第１の布地としての後身頃１２の上端に縫付けられてウエスト方向に延びる帯状をなす。即ち、後ベルト３は、所定幅の布地を中央で表側から裏側へ折り返した二重の帯状とされ、その下端が後身頃１２の上端を挟む形で後身頃１２の上端に縫付けられて固定されている。一方、前ベルト４は、第２の布地としての前身頃１３の上端に縫付けられて、後ベルト３に連続してウエスト方向に延びる帯状をなしている。即ち、前ベルト４は、後ベルト３と略同一幅の布地を中央で折り返した二重の帯状とされ、その下端が前身頃１３の上端を挟む形で前身頃１３の上端に縫付けられて固定されている。
【００２３】
また、前ベルト４の後端部は小ポケット１５のポケット口１５ａから後方へ所定長さ突出する突出部１０となっており、突出部１０は前身頃１３の上端に縫付けられず自由な状態になっている。これに対して、後ベルト３の前端部は開口部５を形成しており、後ベルト３の前端部は表側の半分（図中下半分）が後方に所定角度で傾斜し、裏側の半分（図中上半分）が前方により大きい所定角度で傾斜するように裁断されており、開口部５の意匠面となる外側面の開口端縁６が下方に向かってウエスト方向に対して幅狭とし、開口部５の内側面の開口端縁７が下方に向かってウエスト方向に対して幅広となるようにしたものである。
【００２４】
そして、前ベルト４の突出部１０が開口部５の開口端縁６に挿入され、その挿入深さが変化するようになっており、これによって後ベルト３と前ベルト４がウエスト方向に相対移動自在となっている。さらに、突出部１０を開口部５に挿入した状態で突出部１０と後ベルト３とが弾性部材９によって弾性的に接続されている。これによって、後ベルト３と前ベルト４とは、弾性部材９によって伸縮自在に接続されている。
【００２５】
さらに、補助弾性部材１１が後身頃１２の延長部分１４の上端コーナー部とその上端コーナー部から前方向に所定間隔離れた位置の前ベルト４の裏側の生地とを、ウエスト方向に弾性的に接続している。即ち、補助弾性部材１１の前端は前ベルト４の裏側の生地に縫付け１１ａ等により固定され、補助弾性部材１１の後端は後身頃１２の延長部分１４の上端コーナー部に縫付け等により固定されている。これによって、補助弾性部材１１が後身頃１２の上端コーナー部と後身頃１２上端部に縫付けられる後ベルト３の延長部８の前端部とを支持し、これらが自由な状態になることを防止する。なお、弾性部材９及び補助弾性部材１１としては、ストレッチテープ（ゴム入り布）、ゴムテープ等、十分な弾性を有するものであれば、任意の弾性材を使用することができる。
【００２６】
また、前記開口部５には、ベルト通し２０が取付けられる。即ち、ベルト通し２０はウエスト方向と直交する方向（上下方向）に延びる帯状をなし、その上端部は開口部５の上端の所定幅部分に縫付けられ、その下端部は後身頃１２の上端部に縫付けられている。これによって、後ベルト３の開口部５の開口端縁６がベルト通し２０の裏側でベルト通し２０の長さ方向に傾斜して延び、ベルト通し２０によって完全に被覆されるようになっている。したがって、小ポケット１５の近傍の見栄えがより良く保たれる。なお、後身頃１２と前身頃１３には、ベルト部２の分離部分の近傍において、それぞれタック１６が設けられている。
【００２７】
次に、かかるウエストサイズ伸縮機構を有するウエストサイズ調節機構付衣服としてのズボン１のポケット周辺裏側の構造について、図３を参照して説明する。図３に示されるように、後身頃１２の延長部分１４は小ポケット１５のポケット袋布１７に重ね合わされて縫付けられる。このポケット袋布１７には、上述したズボン１のウエストサイズ伸縮機構が伸ばされたときにそれに伴って開くためのタック（折り返し）１８が設けられている。ポケット袋布１７のもう一方の端は前身頃１３を裏側に折り返した部分の上部に縫付けられ、この折り返し部分の上部が小ポケット１５のポケット口１５ａとなる。また、後身頃１２の延長部分１４より下も裏側に折り返されて前身頃１３を裏側に折り返した部分の下部に縫付けられ、この縫付け線が脇線１９となる。
【００２８】
次に、本実施の形態１のズボン１の伸縮機構が伸ばされたときの小ポケット周辺の変化について、図４及び図５を参照して説明する。図４（a）に示されるように、前ベルト４と後ベルト３を引き離そうとする引っ張り力がかかっていない場合には、脇線１９から小ポケット１５のポケット口１５ａにかけてのラインはほぼ直線で、ポケット口１５ａの周囲にはステッチ１５ｂが施してあり、見栄えも良くデザイン的にも新鮮味がある。ポケット口１５ａの長さは約１０ｃｍであり、かかる小ポケット１５には小銭、鍵、切符等の小物を収納することによって、これらの小物を普通の大きさのポケットに他の物と一緒に入れた場合に比べてすばやく取り出すことができ、使い勝手が良い。
【００２９】
ここで、図４（ｂ）に示されるように、前ベルト４と後ベルト３を引き離そうとする引っ張り力がかかると、後ベルト３の開口端縁６内に挿入されていた突出部１０が弾性部材９の付勢力に抗して引き出される。これに伴って、前ベルト４とこれに縫付けられた前身頃１３の上部が左方へ移動し、したがって、小ポケット１５のポケット口１５ａも左方へ移動してそれまで隠れていたポケット口１５ａの下の部分が表から見えるようになる。しかし、この部分は後身頃１２の延長部分１４であるため脇線１９の縫付け線もステッチもなく、後身頃１２と一体に見えるため非常に見栄えが良い。このように、本実施の形態１のズボン１は、ウエストサイズの伸縮機構が伸ばされた場合でも、分離されたベルト部３，４が伸びたときにポケット口１５ａが移動する範囲まで第１の布地である後身頃１２が延長されているため小ポケット１５の下地は後身頃１２の延長部分１４によって構成されており、縫付け線等がないため小ポケット１５の下地の部分まで一体のものとして認識される。これによって、分離されたベルト部３，４が伸びたときにも非常に見栄えの良い小ポケット１５となる。
【００３０】
次に、ズボン１の裏面の変化について、図５を参照して説明する。図５（ａ）に示されるように、後身頃１２及び前身頃１３の裏側には、小ポケット１５のポケット袋布１７が縫付けられている。そして、このポケット袋布１７には、タック（折り返し）１８が設けられている。図５（ａ）に示されるように、前ベルト４と後ベルト３を引き離そうとする引っ張り力がかかっていない場合には、このタック１８は折り畳まれている。
【００３１】
ここで、図５（ｂ）に示されるように、前ベルト４と後ベルト３を引き離そうとする引っ張り力がかかると、後ベルト３の開口端縁６内に挿入されていた突出部１０が弾性部材９の付勢力に抗して引き出される。これに伴って、前ベルト４とこれに縫付けられた前身頃１３の上部が右方へ移動し、ポケット袋布１７のタック１８も引っ張られて開かれる。このように、ポケット袋布１７にタック１８を設けたことによって、分離されたベルト部３，４の伸縮機構が伸ばされたときには、このタック１８が伸ばされることによって、後身頃１２と前身頃１３の双方に縫付けられたポケット袋布１７にも引っ張り力がかからず、分離されたベルト部３，４をスムースに伸ばすことができる。
【００３２】
このように、通常の大きさのポケットより小さいポケット１５をウエストサイズ伸縮機構近傍に脇線１９に沿って設けることによって、小ポケット１５の見栄えが良くなるとともにポケットとしての使い勝手が良くなって、デザイン的にもバリエーションを持たせることができる。
【００３３】
実施の形態２
次に、本発明の実施の形態２について、図６を参照して説明する。図６は、本発明の実施の形態２にかかるウエストサイズ調節機構付衣服としてのズボン１のポケット周辺部分を表側から示す正面図である。図６に示されるように、ズボン１の脇線１９の上端において後ベルト３の開口端縁６に前ベルト４の突出部１０が挿入され、この突出部１０の先端に弾性部材９が縫付けられて弾性部材９の他方は後ベルト３の内部に縫付けられることによって、ズボン１のウエストサイズ伸縮機構が構成されている。なお、実施の形態１と同様に、開口端縁６はベルト通し２０によって被覆されて、見栄えを良くしている。脇線１９と前ベルト４の間に小ポケット１５のポケット口１５ａが設けられており、ポケット口１５ａは脇線１９と一直線になっていてさらに周囲にステッチ１５ｂが施されているので、非常に見栄えが良くなっている。小ポケット１５のポケット口１５ａの長さは、約９ｃｍである。
【００３４】
この小ポケット１５の下地には補助布２１が設けられており、補助布２１の右端は後身頃１２に縫付けられており、上端は後ベルト３の延長部８に縫付けられている。ここで、後身頃１２の左端上部は小ポケット１５のポケット口１５ａ内に隠れるように左へ傾斜している。これによって、補助布２１と後身頃１２の縫付け線２１ａが、通常の状態においては表から見えず、見栄えを良くしている。
【００３５】
前ベルト４と後ベルト３を引き離そうとする引っ張り力がかかると、後ベルト３の開口端縁６内に挿入されていた突出部１０が弾性部材９の付勢力に抗して引き出される。これに伴って、前ベルト４とこれに縫付けられた前身頃１３の上部が左方へ移動し、したがって小ポケット１５のポケット口１５ａも左方へ移動してそれまで隠れていたポケット口１５ａの下の縫付け線２１ａが表から見えるようになる。しかし、後身頃１２と同じ材質の補助布２１によって小ポケット１５の図示しないポケット袋布が隠されているので、それほど見栄えは悪くならない。
【００３６】
この小ポケット１５の左側には、縦長脇ポケット２２が前身頃１３に設けられている。縦長脇ポケット２２のポケット口２２ａの上端は、小ポケット１５のポケット口１５ａの数ｃｍ左側に位置しており、そこからほぼ真下に延びて下端は右側にカーブして脇線１９に達している。このポケット口２２ａに沿って、ステッチ２２ｂが施されている。
【００３７】
このように、ポケット口１５ａの長さ約９ｃｍの小ポケット１５とポケット口２２ａの長さが普通の大きさ（１５ｃｍから１６ｃｍ）の縦長脇ポケット２２がズボン１の同じサイドに設けられていることから、財布、ハンカチ、ティッシュペーパー等の大きな物は縦長脇ポケット２２に入れ、小銭、鍵、切符等の小物は小ポケット１５に入れることができ、ポケット収納物の分別ができて非常に使い勝手が良い。
【００３８】
なお、前身頃１３には、タック１６が設けられており、縦長脇ポケット２２に物を入れたときの前身頃１３表面に生ずる皺をある程度吸収できるようになっている。
【００３９】
実施の形態３
次に、本発明の実施の形態３について、図７を参照して説明する。図７は、本発明の実施の形態３にかかるウエストサイズ調節機構付衣服としてのズボン１のポケット周辺部分を表側から示す正面図である。なお、実施の形態２の図６と同一の部分には同一の符号を付して説明を省略する。図７に示されるように、本実施の形態３のズボン１においても実施の形態１，２と同様の構成によってウエストサイズ伸縮機構が形成され、着用者のウエストサイズに合わせて自動的にズボン１のウエストサイズが調節されるようになっている。そして、脇線１９に沿って小ポケット１５のポケット口１５ａが設けられており、ポケット口１５ａは脇線１９と一直線になっていてさらに周囲にステッチ１５ｂが施されているので、非常に見栄えが良くなっている。小ポケット１５のポケット口１５ａの長さは、約９ｃｍである。
【００４０】
この小ポケット１５の左側には、片玉縁ポケット２３が前身頃１３に設けられている。片玉縁ポケット２３のポケット口２３ａは、前身頃１３に長方形の貫通孔を開けて、同じ生地で裏から塞ぎ、一方の直線部分のみ縫付けずに開放したものである。ポケット口２３ａの周囲にはステッチ２３ｂが施されており、ポケット口２３ａの裏側には、所定の大きさのポケットの袋布が縫付けられている。ポケット口２３ａの長さは、約１６ｃｍである。
【００４１】
このように、ポケット口１５ａの長さ約９ｃｍの小ポケット１５とポケット口２３ａの長さ約１６ｃｍの普通の大きさの片玉縁ポケット２３がズボン１の同じサイドに設けられていることから、財布、ハンカチ、ティッシュペーパー等の大きな物は片玉縁ポケット２３に入れ、小銭、鍵、切符等の小物は小ポケット１５に入れることができ、ポケット収納物の分別ができて非常に使い勝手が良い。
【００４２】
なお、前身頃１３には、タック１６が設けられており、片玉縁ポケット２３に物を入れたときの前身頃１３表面に生ずる皺をある程度吸収できるようになっている。
【００４３】
実施の形態４
次に、本発明の実施の形態４について、図８を参照して説明する。図８は、本発明の実施の形態４にかかるウエストサイズ調節機構付衣服としてのズボン１のポケット周辺部分を表側から示す正面図である。なお、実施の形態２の図６と同一の部分には同一の符号を付して説明を省略する。図８に示されるように、本実施の形態４のズボン１においても実施の形態１〜３と同様の構成によってウエストサイズ伸縮機構が形成され、着用者のウエストサイズに合わせて自動的にズボン１のウエストサイズが調節されるようになっている。そして、脇線１９に沿って小ポケット１５のポケット口１５ａが設けられており、ポケット口１５ａは脇線１９と一直線になっているので、非常に見栄えが良くなっている。小ポケット１５のポケット口１５ａの長さは約１０ｃｍであり、実施の形態１〜３に比較して１ｃｍ長くなっている。
【００４４】
この小ポケット１５の左側には、脇玉縁ポケット２４が前身頃１３に設けられている。脇玉縁ポケット２４のポケット口２４ａは、前身頃１３に長方形の貫通孔を開けて、同じ生地で裏から塞ぎ、中央に縦方向に直線状の切れ目を入れたものである。ポケット口２４ａの裏側には、所定の大きさのポケットの袋布が縫付けられている。ポケット口２４ａの長さは、約１６ｃｍである。
【００４５】
このように、ポケット口１５ａの長さ約１０ｃｍの小ポケット１５とポケット口２４ａの長さ約１６ｃｍの普通の大きさの脇玉縁ポケット２４がズボン１の同じサイドに設けられていることから、ポケット収納物の分別ができて非常に使い勝手が良い。
【００４６】
実施の形態５
次に、本発明の実施の形態５について、図９を参照して説明する。図９は、本発明の実施の形態５にかかるウエストサイズ調節機構付衣服としてのズボン１のポケット周辺部分を表側から示す正面図である。なお、実施の形態２の図６と同一の部分には同一の符号を付して説明を省略する。図９に示されるように、本実施の形態５のズボン１においても実施の形態１〜４と同様の構成によってウエストサイズ伸縮機構が形成され、着用者のウエストサイズに合わせて自動的にズボン１のウエストサイズが調節されるようになっている。そして、脇線１９に沿って小ポケット１５のポケット口１５ａが設けられており、ポケット口１５ａは脇線１９と一直線になっているので、非常に見栄えが良くなっている。小ポケット１５のポケット口１５ａの長さは、約９ｃｍである。
【００４７】
この小ポケット１５の左側には、斜め脇ポケット２５が前身頃１３に設けられている。斜め脇ポケット２５のポケット口２５ａは、小ポケット１５のポケット口１５ａから左に数ｃｍ離れた前ベルト４の下から脇線１９まで斜めに一直線に設けられている。ポケット口２５ａの裏側には、所定の大きさのポケットの袋布が縫付けられており、ポケット口２５ａに沿ってステッチ２５ｂが施されている。ポケット口２５ａの長さは、約１８ｃｍである。
【００４８】
このように、ポケット口１５ａの長さ約９ｃｍの小ポケット１５とポケット口２５ａの長さ約１８ｃｍの普通の大きさの斜め脇ポケット２５がズボン１の同じサイドに設けられていることから、ポケット収納物の分別ができて非常に使い勝手が良い。
【００４９】
実施の形態６
次に、本発明の実施の形態６について、図１０を参照して説明する。図１０は、本発明の実施の形態６にかかるウエストサイズ調節機構付衣服としてのズボン１のポケット周辺部分を表側から示す正面図である。なお、実施の形態２の図６と同一の部分には同一の符号を付して説明を省略する。図１０に示されるように、本実施の形態６のズボン１においても実施の形態１〜５と同様の構成によってウエストサイズ伸縮機構が形成され、着用者のウエストサイズに合わせて自動的にズボン１のウエストサイズが調節されるようになっている。そして、脇線１９に沿って小ポケット１５のポケット口１５ａが設けられており、ポケット口１５ａは脇線１９と一直線になっているので、非常に見栄えが良くなっている。小ポケット１５のポケット口１５ａの長さは、約９ｃｍである。
【００５０】
この小ポケット１５の左側には、Ｌポケット２７が前身頃１３に設けられている。Ｌポケット２７のポケット口２７ａは、小ポケット１５のポケット口１５ａから左に約２３ｃｍ離れた前ベルト４の下から始まり、数ｃｍ真下に下りて、そこから緩やかな傾斜で脇線１９まで斜めに下って設けられている。ポケット口２７ａが脇線１９とぶつかる直前には、ポケット口２７ａはカーブしてその先端は小ポケット１５のポケット口１５ａの下端のすぐ傍に位置している。ポケット口２７ａの裏側には、所定の大きさのポケットの袋布が縫付けられており、ポケット口２７ａに沿ってステッチ２７ｂが施されている。
【００５１】
このように、ポケット口２７が横に広くて大きさが２３ｃｍ以上もあるＬポケット２７には、実施の形態２〜５の普通の大きさのポケット２２，２３，２４，２５よりもより大きな物を収納できる。かかる普通の大きさ以上の大きさのＬポケット２７とポケット口１５ａの長さ約９ｃｍの小ポケット１５がズボン１の同じサイドに設けられていることから、ポケット収納物の分別ができて非常に使い勝手が良い。
【００５２】
実施の形態７
次に、本発明の実施の形態７について、図１１を参照して説明する。図１１は、本発明の実施の形態７にかかるウエストサイズ調節機構付衣服としてのズボン１のポケット周辺部分を表側から示す正面図である。なお、実施の形態２の図６と同一の部分には同一の符号を付して説明を省略する。図１１に示されるように、本実施の形態７のズボン１においても実施の形態１〜６と同様の構成によってウエストサイズ伸縮機構が形成され、着用者のウエストサイズに合わせて自動的にズボン１のウエストサイズが調節されるようになっている。そして、脇線１９に沿って小ポケット１５のポケット口１５ａが設けられており、ポケット口１５ａは脇線１９と一直線になっているので、非常に見栄えが良くなっている。小ポケット１５のポケット口１５ａの長さは、約９ｃｍである。
【００５３】
この小ポケット１５の左側には、Ｌポケット２８が前身頃１３に設けられている。Ｌポケット２８のポケット口２８ａは、小ポケット１５のポケット口１５ａから左に約１８ｃｍ離れた前ベルト４の下から始まり、緩やかなカーブを描いて脇線１９に達している。ポケット口２８ａの裏側には、所定の大きさのポケットの袋布が縫付けられており、ポケット口２８ａに沿ってステッチ２８ｂが施されている。
【００５４】
このＬポケット２８の中には、外ポケット２９がポケット口２９ａを外に覗かせた状態で設けられている。外ポケット２９は、前身頃１３に同じ生地を袋状に縫い付けた通常の形状のポケットであり、ポケット口２９ａの長さは約１２ｃｍである。したがって、ポケット口２８ａの長さが１８ｃｍ以上もある普通の大きさ以上の大きさのＬポケット２８と、ポケット口２９ａの長さが約１２ｃｍの外ポケット２９と、ポケット口１５ａの長さ約９ｃｍの小ポケット１５とが、ズボン１の同じサイドに設けられることになる。
【００５５】
これによって、ズボン１は大・中・小の３種類のポケットを同じサイドに有することになり、より細かくポケット収納物の分別ができてさらに使い勝手が良くなる。即ち、Ｌポケット２８の中には大きな物を、外ポケット２９の中には中くらいの大きさの物を、小ポケット１５の中には小銭、鍵、切符等の小物をそれぞれ分けて入れることができるので、これらの物が必要なときには捜す必要がなくすばやく取り出すことができる。しかもこれら３種類のポケット２８，２９，１５のポケット口２８ａ，２９ａ，１５ａはいずれも外に出ているので、すばやく出し入れができる。また、デザイン的にも３種類の形状も大きさも異なるポケットが１つのまとまりを形成しているのは極めて斬新であり、ウエストサイズ調節機構付衣服のデザインの幅を広げることになる。
【００５６】
上記各実施の形態は、ベルト部２を二重の布地からなる構成としたが、かかる二重のベルト部は通常コットンパンツ等に採用される。しかし、これに限られることなく、通常のウール、合成繊維等のスラックスの場合のように、ベルト部２を一重として実施することも可能である。例えば、ベルト部２を一重とし、その上端部を若干裏側に折り返し、裏地（芯地）を縫付けて二重とし、上記各実施の形態と実質的に同様のベルト部として実施することもできる。
【００５７】
また、上記各実施の形態においては、ウエストサイズ調節機構付衣服として紳士物のズボンを例にとって説明したが、本発明のウエストサイズ調節機構付衣服は、これに限られず婦人物のパンツ、スカート等にも適用することが可能である。ウエストサイズ調節機構付衣服のその他の部分の構造、形状、材料、大きさ、数量、接続関係等についても、上記の各実施の形態に限定されるものではない。
【００５８】
本発明を実施する場合の小ポケットは、ポケット口長さが略６ｃｍから１１ｃｍの範囲内の大きさとしている。この小ポケットは、原理的には略３ｃｍ以上あればベルト部の伸縮に支障がないサイズとなる。ポケット口長さが略６ｃｍから１１ｃｍの範囲内の大きさにすれば、引き伸ばされたときの見栄えが良くなり、かつ、２指が入り、定期券、切符、運転免許証、懐中時計等の小物入れとして使用が可能となる。しかし、本発明を実施する場合の小ポケットは、使用する人の指の太さによりポケット口長さが略４ｃｍから６ｃｍの範囲内の大きさとできないものではない。したがって、本発明を実施する場合の小ポケットは、ポケット口長さが略６ｃｍから１１ｃｍの範囲内の大きさとしているが、厳密に６ｃｍから１１ｃｍの範囲内を意味するものではなく、概略的な数値であり、その上限は通常のポケットとの区別を行うものであるから、通常のポケットのサイズを下回れば良い。
【００５９】
【発明の効果】
以上説明したように、請求項１の発明にかかるウエストサイズ調節機構付衣服は、ウエスト方向に延びるように設けられ所定位置で分離されたベルト部の一方に設けられた開口部と、前記分離されたベルト部の他方に設けられた突出部と、前記突出部を前記開口部に挿入した状態で前記突出部と前記ベルト部の一方とを弾性的に接続する弾性部材と、前記ベルト部の一方に縫付けられた第１の布地と、前記ベルト部の他方に縫付けられるとともに前記分離されたベルト部の前記ウエスト方向への伸縮を妨げないように前記第１の布地に前記開口部近傍において縫付けられた第２の布地と、前記開口部近傍の前記第１の布地と前記第２の布地との境界にポケット口が設けられたポケット口長さが略６ｃｍから１１ｃｍの範囲内の大きさの小ポケットと、前記小ポケットの袋布に設けられた前記分離されたベルト部の前記ウエスト方向への伸び分に相当する幅のタックとを具備するものである。
【００６０】
したがって、分離されたベルト部の一方とベルト部の一方の開口部に挿入されたベルト部の他方の突出部とが弾性部材で接続されていることから、ズボン等のベルト部が着用者のウエストサイズに合わせて伸縮する結果、ベルト部のウエストサイズを自動的に増減調節することができる。そして、第１の布地と第２の布地とが縫付けられた境界の前記開口部近傍において、ポケット口長さが略６ｃｍから１１ｃｍの範囲内の大きさの小ポケットのポケット口が設けられている。このように、第１の布地と第２の布地との境界に小ポケットのポケット口が設けられていることから、第１の布地と第２の布地との縫付け線（脇線）と小ポケットのポケット口が一直線になり、非常に見栄えが良くなる。
【００６１】
ここで、小ポケットは、第１の布地と第２の布地との境界に設けられているので、分離されたベルト部の伸縮機構が伸ばされたときには、小ポケットの上側の生地は第２の布地と一体化しているため、分離されたベルト部の他方に設けられた突出部と一体に移動する。しかし、小ポケットの袋布は第１の布地と第２の布地にまたがって設けられているため、分離されたベルト部の伸縮機構が伸ばされたときには、この袋布に引っ張り力がかかり伸縮機構の伸びを妨げることになる。そこで、小ポケットの袋布に分離されたベルト部のウエスト方向への伸び分に相当する幅のタック（折り返し）を設けることによって、分離されたベルト部の伸縮機構が伸ばされたときには、このタックが伸ばされることによって小ポケットの袋布には引っ張り力がかからず、分離されたベルト部をスムースに伸ばすことができる。
【００６２】
そして、かかる小ポケットは、普通の大きさのポケットと区別できるため、小銭入れ、鍵入れ、切符入れ等に用いることができ、これらの小物を他の物と一緒に普通の大きさのポケットに入れたときには捜すのに時間がかかるが、小ポケットに入れておけばすばやく取り出すことができて使い勝手が良い。そして、デザイン上もこれまでになかったポケットの付け方としてバリエーションが広がる。
【００６３】
このように、通常の大きさのポケットより小さいポケットを伸縮機構近傍に設けることによって、ポケットの見栄えを良くするとともにポケットの使い勝手を良くしてデザインにバリエーションを持たせることができる。
【００６４】
請求項２の発明にかかるウエストサイズ調節機構付衣服は、請求項１の構成において、前記開口部の外側面の開口端縁をウエスト方向と直交するベルト通しによって被覆したものである。したがって、請求項１に記載の効果に加えて、小ポケットの上部にある開口部の開口端縁がベルト通しによって被覆され、外部から完全に見えなくなるので、より一層小ポケット周辺の見栄えが良くなる。
【００６５】
請求項３の発明にかかるウエストサイズ調節機構付衣服は、請求項１または請求項２の構成において、前記第１の布地を前記境界から前記分離されたベルト部が伸びたときに前記小ポケットのポケット口が移動する範囲まで延長したものである。着用者のウエストサイズが大きくて分離されたベルト部の伸縮機構が伸ばされたときには、小ポケットの上側の生地は第２の布地と一体化しているため、小ポケットのポケット口は分離されたベルト部の他方に設けられた突出部と一体に移動して、その移動分だけ小ポケットの下地が見えることになる。しかし、本発明の構成によれば、請求項１または請求項２に記載の効果に加えて、分離されたベルト部が伸びたときに小ポケットのポケット口が移動する範囲まで第１の布地が延長されているため、小ポケットの下地は第１の布地によって構成されており、したがって縫付け線等がないためポケットの下地の部分まで一体のものとして認識される。これによって、分離されたベルト部が伸びたときにも非常に見栄えの良いポケットとなる。
【００６６】
請求項４の発明にかかるウエストサイズ調節機構付衣服は、請求項１または請求項２の構成において、前記第１の布地の上方の端を前記小ポケットのポケット口内に隠れるように傾斜させるとともに前記第１の布地の上方の端に前記分離されたベルト部が伸びたときに前記小ポケットのポケット口が移動する範囲までの前記第１の布地と同じ材質の補助布を縫付けたものである。したがって、請求項１または請求項２に記載の効果に加えて、小ポケットの下地には第１の布地と同じ材質の補助布が設けられることになり、補助布は第１の布地の上方の端に縫付けられている。ここで、第１の布地の上方の端は小ポケットのポケット口内に隠れるように傾斜している。これによって、補助布と第１の布地の縫付け線が、通常の状態においては表から見えず、見栄えを良くしている。
【００６７】
そして、着用者のウエストサイズが大きくて分離されたベルト部の伸縮機構が伸ばされたときには、小ポケットの上側の生地は第２の布地と一体化しているため、小ポケットのポケット口は分離されたベルト部の他方に設けられた突出部と一体に移動して、その移動分だけ小ポケットの下地が見えることになる。したがって、それまで隠れていたポケット口の下の縫付け線が表から見えるようになる。しかし、第１の布地と同じ材質の補助布によって小ポケットのポケット袋布が隠されているので、それほど見栄えは悪くならない。これによって、分離されたベルト部が伸びたときにも見栄えを損なうことのないポケットとなる。
【００６８】
請求項５の発明にかかるウエストサイズ調節機構付衣服は、請求項１乃至請求項４の構成において、ポケット口長さが普通の大きさのポケットまたはそれ以上の大きさのポケットを前記第２の布地に設けたものである。これによって、請求項１乃至請求項４に記載の効果に加えて、ウエストサイズ調節機構付衣服は普通の大きさのポケットまたはそれ以上の大きさの大きさのポケットとポケット口長さが略６ｃｍから１１ｃｍの範囲内の大きさの小ポケットとを同じサイドに有することになり、デザイン的にも新しく、さらにバリエーションが広がることになる。
【００６９】
そして、ポケット口長さが普通の大きさのポケットまたはそれ以上の大きさのポケットには財布やハンカチ、ティッシュペーパーといった大きな物を入れ、小ポケットには小銭、鍵、切符といった小物を入れればポケットの中身の分別ができて非常に使い勝手が良くなる。さらに、ポケット口長さが普通の大きさのポケットまたはそれ以上の大きさのポケットは第２の布地に設けられているので小ポケットのポケット口が隠れることがなく、小ポケットからの出し入れが容易でデザイン的にも斬新さを保つことになる。
【００７０】
請求項６の発明にかかるウエストサイズ調節機構付衣服は、請求項５の構成において、前記ポケット口長さが普通の大きさのポケットまたはそれ以上の大きさのポケット内にさらに外ポケットを付加したものである。普通の大きさのポケットのポケット口が横方向に長くて広い場合には、ポケット内にさらに外ポケットをそのポケット口が普通の大きさのポケットまたはそれ以上の大きさのポケットのポケット口の外に出るように設けることができる。これによって、請求項５に記載の効果に加えて、ウエストサイズ調節機構付衣服は大・中・小の３種類のポケットを同じサイドに有することになり、デザイン的にも新しく、さらにバリエーションが広がることになる。
【図面の簡単な説明】
【図１】  図１は、本発明の実施の形態１にかかるウエストサイズ調節機構付衣服としてのズボン１のウエストサイズ調節機構の各部材を分解して裏側から見て示す斜視図である。
【図２】  図２は、本発明の実施の形態１にかかるウエストサイズ調節機構付衣服としてのズボン１のウエストサイズ調節機構の各部材の取付け態様を裏側から見て示す分解斜視図である。
【図３】  図３は、本発明の実施の形態１にかかるウエストサイズ調節機構付衣服としてのズボン１のポケット周辺部分を裏側から見て示す斜視図である。
【図４】  図４（ａ）は本発明の実施の形態１にかかるウエストサイズ調節機構付衣服としてのズボン１のポケット周辺部分を表側から示す正面図、（ｂ）はズボン１のウエストサイズ伸縮機構が伸ばされた状態を示す正面図である。
【図５】  図５（ａ）は本発明の実施の形態１にかかるウエストサイズ調節機構付衣服としてのズボン１のポケット周辺部分を裏側から示す背面図、（ｂ）はズボン１のウエストサイズ伸縮機構が伸ばされた状態を示す背面図である。
【図６】  図６は、本発明の実施の形態２にかかるウエストサイズ調節機構付衣服としてのズボン１のポケット周辺部分を表側から示す正面図である。
【図７】  図７は、本発明の実施の形態３にかかるウエストサイズ調節機構付衣服としてのズボン１のポケット周辺部分を表側から示す正面図である。
【図８】  図８は、本発明の実施の形態４にかかるウエストサイズ調節機構付衣服としてのズボン１のポケット周辺部分を表側から示す正面図である。
【図９】  図９は、本発明の実施の形態５にかかるウエストサイズ調節機構付衣服としてのズボン１のポケット周辺部分を表側から示す正面図である。
【図１０】  図１０は、本発明の実施の形態６にかかるウエストサイズ調節機構付衣服としてのズボン１のポケット周辺部分を表側から示す正面図である。
【図１１】  図１１は、本発明の実施の形態７にかかるウエストサイズ調節機構付衣服としてのズボン１のポケット周辺部分を表側から示す正面図である。
【符号の説明】
１  ウエストサイズ調節機構付衣服（ズボン）
２  ベルト部
３  ベルト部の一方（後ベルト）
４  ベルト部の他方（前ベルト）
５  開口部
６  開口端縁
９  弾性部材
１０  突出部
１２  第１の布地（後身頃）
１３  第２の布地（前身頃）
１５  小ポケット
１５ａ  小ポケットのポケット口
２０  ベルト通し
２１  補助布
２２，２３，２４，２５  普通の大きさのポケット
２７，２８  普通の大きさ以上の大きさのポケット
２９  外ポケット
【図１】
0004499267.tif 000002
【図２】
0004499267.tif 000003
【図３】
0004499267.tif 000004
【図４】
0004499267.tif 000005
【図５】
0004499267.tif 000006
【図６】
0004499267.tif 000007
【図７】
0004499267.tif 000008
【図８】
0004499267.tif 000009
【図９】
0004499267.tif 000010
【図１０】
0004499267.tif 000011
【図１１】
0004499267.tif 000012